(57)【特許請求の範囲】
【請求項１】
背もたれと着座のための座面とを有した乗客用シートを備えた飛行機客室（２）の構造において、飛行機客室（２）が立ち客のための少なくとも１個の乗客輸送装置（３）も備えており、この乗客輸送装置（３）が、水平方向での加速度を受け止め且つ立ち客の少なくとも背と頭を支えるための支持構造体として構成された保持装置（７）と安全手段（１４）とを備えていることを特徴とする飛行機客室構造。
【請求項２】
前記乗客輸送装置（３）が立ち席（６）として形成されることを特徴とする請求項１に記載の飛行機客室構造。
【請求項３】
乗客用シートを構成する座席（８）と立ち席（８）を組み合わせる際に、座席（８）が低い天井高さを有する客室（２）の範囲（４）または荷物ロッカー（９）の下方の客室（２）の範囲（４）に設けられ、立ち席（６）が最小立ち高さを有する客室（２）の範囲（５）内に設けられていることを特徴とする請求項２に記載の飛行機客室構造。
【請求項４】
最小立ち高さを有する範囲（５）内に並べて配置された立ち席（６，６′，６″）が立ち席列（６Ａ，６Ｂ，６Ｃ）を形成していることを特徴とする請求項３に記載の飛行機客室構造。
【請求項５】
保持装置（７）に保持すべき乗客が飛行方向と反対向きに立つように、保持装置（７）が客室（２）内で配向されていることを特徴とする請求項１〜４のいずれか一項に記載の飛行機客室構造。
【請求項６】
保持装置（７）が、乗客の背の範囲を支持するために客室（２）内で飛行方向に対してほぼ垂直に配向された支柱、背もたれまたは支持壁として形成されていることを特徴とする請求項１〜５のいずれか一項に記載の飛行機客室構造。
【請求項７】
保持装置（７）が支持形材（１０，１０′）とその間にある支持壁（１１）を備え、支持形材（１０，１０′）が支持構造体に固定された部品上に配置され、安全手段が安全ベルト（１５）として形成されていることを特徴とする請求項１〜６のいずれか一項に記載の飛行機客室構造。
【請求項８】
安全ベルト（１５）が三点式安全ベルトとして形成されていることを特徴とする請求項７に記載の飛行機客室構造。
【請求項９】
保持装置（７）が乗客を支えるための補助席（１６）を備えていることを特徴とする請求項１〜８のいずれか一項に記載の飛行機客室構造。
【発明の詳細な説明】
【０００１】
【発明の属する技術分野】
本発明は、飛行機客室内の乗客輸送装置に関する。
【０００２】
【従来の技術】
技術水準によって知られているように、旅客機で乗客を輸送するために輸送手段として飛行機座席が客室内に設けられている。少なくとも、飛行機の離着陸の間、乗客は座席を捜し、安全ベルトを装着しなければならない。それによって、衝突またはきびしい着陸の場合に充分な安全性を保証することができる。しかし、飛行中、飛行座席に引続きとどまることが望まれる。なぜなら、スペース状態に基づいて、飛行機通路と、トイレットのようなサービス装置が非常に狭く形成され、更に巡航中の乱流の際に、乗客を座席に迅速に保持することができるからである。従って、乗客の快適性のために、充分な座席間隔と座席幅を有するように飛行機座席を客室内に配置することが重要である。これに対して、航空会社の目的は、乗員１人当たりの輸送コストを最小限に抑えるために、できるだけたくさんの乗客を客室内に収容することである。この状況は勿論、妥当な価格で充分な座席を提供できるように、乗客のために供される座席面積を最適化するという妥協につながる。
【０００３】
米国特許第５，６１１，５０３号明細書により、例えば乗客座席の数を最大限に増やすと共に、乗客のための最大の快適性を提供する、客室内の座席構造を最適化する、コストのかかる方法が知られている。最高の快適性を有する座席構造は客室内で使用される。
【０００４】
ドイツ連邦共和国特許第１９５３４０２４号公報により、飛行機の客室のための座席グループが知られている。この座席グループは、この座席が予約されるとき、席の幅を広くすることができ、使用されない状態では座席を“縮小”することができ、他の乗客の快適な旅行を可能にする。
【０００５】
飛行機の乗客のための公知の輸送装置は全体として、乗客の大きさに基づいて、最小幅または最小座席間隔を必要とする乗客座席を備えている。従って、一定の寸法の客室内で、乗客座席の最大数は計算可能である。乗客座席が完全に予約されないときにのみ、乗客当たりに供される座席面積が増大し、それによって乗客の快適性が向上する。
【０００６】
棒に固定された座席支柱を設けることにより、バス、鉄道車両またはフェリーボートのような乗り物で旅客を輸送する際の必要スペースを低減することが、ドイツ連邦共和国特許第１９８１４５４８号公報によって知られている。安全性を高めるために、座席支柱の取っ手と背もたれはそれぞれ、走行方向においてその後ろに位置する乗客の列のために、衝突保護装置として設けられている。このような旅客輸送装置は飛行機での使用は考えられない。飛行機の安全規定が非常に厳しく、地上乗物と異なり、現在では飛行機座席でのみ旅客輸送が許容され、水平方向と垂直方向における所定の加速度を受け止めなければならず、衝突時にエネルギーを吸収しなければならない。更に、例えばバスまたは鉄道車両におけるように、飛行機客室内で立った状態で乗客を輸送することはできない。
【０００７】
【発明が解決しようとする課題】
そこで、本発明の根底をなす課題は、乗客を輸送するために必要な飛行機客室内のスペースを最小限に抑え、それによって最大輸送乗客数を増大することである。輸送能力を高めるにもかかわらず、乗客の快適性と充分な動き自由度を達成すべきである。衝突時または乱気流時の安全要求を満たすために、充分な安全性を保証すべきである。
【０００８】
【課題を解決するための手段】
この課題は、背もたれと着座のための座面とを有した乗客用シートを備えた飛行機客室の構造において、請求項１記載の特徴によって解決される。
【０００９】
その際特に、飛行機客室内の全く新しい輸送概念が初めて可能となり、旅客飛行機内に立ち席を配置することにより、乗客一人当たりの必要スペースを最小限に抑えることができ、それによって輸送可能な乗客の最大数が増大するという利点がある。
【００１０】
少なくとも離着陸中にまたは巡航中の乱気流時に保持が必要な場合に、保持装置によって、輸送すべき乗客が直立した位置に保持され、安全手段によって安全が確保される。
【００１１】
発展形態と有利な実施形は従属請求項２〜９に記載されている。
請求項２または３に従って乗客輸送装置を配置することにより、飛行機客室の配置が多彩な要求にフレキシブルに適合し、客室内の最適な空間利用が達成可能である。
【００１２】
請求項４記載の手段は、乗客が容易に発見できる規則正しい立ち席配置構造を可能にする。それによって、乗客の乗り降りが加速され、輸送手段のための離陸時間または待合時間が大幅に短縮される。
【００１３】
請求項５または６記載の実施形により、衝突時に発生する力が乗客を大きな面積で保持装置に押し付け、それによって負傷の危険および体の負担が低下する。
請求項６，７記載の手段は、支持構造体の有利な実施形を示している。この支持構造体は今日の飛行機内の輸送装置と比べて安全性を高める。
【００１４】
請求項９記載の本発明による乗客輸送装置の実施形により、長い間立っているときに負担を軽減し、乗客の快適性を高める。
【００１５】
【発明の実施の形態】
本発明の実施の形態が図に示してある。次に、図１〜４に基づいて本発明の実施の形態を詳しく説明する。図において、同じ部品には同じ参照符号付けてある。
【００１６】
図１には、乗客輸送手段、特に旅客機の客室配置構造１が平面図で示してある。この客室２の配置構造１は、本発明に従って立ち席６として形成された乗客輸送装置３を備えている。この客室配置構造１から明らかなように、客室２の範囲４は客室天井高さが低いので、座席だけを配置することができる。範囲４は図示した客室配置構造１では、飛行機の外壁の近くに（最小立ち高さが得られない場所に）設けられている。範囲５では、客室天井高さの採寸に基づいて、最小立ち高さが得られ、乗客輸送装置３として立ち席６を設けることが可能である。従って必要に応じて、範囲５に例えば立ち席６またはそれ自体公知の飛行機座席を設けることができる。
【００１７】
図２には、立ち席６と座席８を配置した客室２が斜視図で示してある。乗客の頭範囲または頭上範囲に荷物ロッカー９が配置されている場合、通常は荷物ロッカー９の下方に座席８が配置されている。なぜなら、最小立ち高さが得られないからである。範囲５内に立ち席６を配置するためには、充分な立ち高さを得るために、場合によっては頭上範囲の荷物ロッカーの設置を回避する必要がある。乗客の安全のために、特に離着陸時のために、乗客の所定の動きを保持し、万一の衝突の際の負傷の危険を避けるための手段を設ける必要がある。所定の運動保持は、飛行機座席８上での着座保持と異なり、立ち席６のための直立保持である。この保持を達成するために、保持装置７が設けられている。この保持装置は例えば支柱、背もたれまたは支持壁として形成可能である。保持装置７は一方では、立ち席の姿勢を測定および決定し、飛行全体にわたって、特に離着陸時または巡航中の乱流時に、乗客の安全保持を保証し、他方では非常装備と安全装置取扱い説明書または読書用照明装置またはスチュワーデス呼出しボタンのようなサービス装置を収納するために役立つ。図示した実施の形態では、複数の立ち席６，６′，６″が並べて配置され、複数の立ち席列６Ａ，６Ｂ，６Ｃ・・・が前後に配置されている。このような立ち席構造により、客室内で最適なスペース利用が達成される。なぜなら、立ち席のために必要な面積が、座席のために必要な客室面積よりも狭くなるからである。
【００１８】
図３に示した立ち席６の配置は、特に離着陸時に乗客が飛行機飛行方向と反対向きに立っているかまたは直立保持され、衝突の場合に他の装置との当接による乗客の負傷の危険が低下し、乗客が発生する力によって保持装置７に押し付けられるという利点がある。保持装置７は客室２内で飛行方向に対して垂直な方向にあるいはこの垂直線に対して或る角度（例えば約３０度以下）をなすように向いている。
【００１９】
保持装置７は、特に安全手段を備えた支持構造体として形成しなければならない。この場合、支持構造体は衝突時の必要な荷重を受け止め、およびまたは更に伝達しなければならない。その際、水平方向と垂直方向の加速度を受け止めるべきである。特に巡航中に、リラックスして立つために、立つことを補助する手段を設けることができる。次に、支持構造体の実施の形態を図４に基づいて説明する。
【００２０】
図４には、立ち席６のための支持構造体７が３つの図面（図４のＡ，Ｂ，Ｃ）で示してある。支持構造体７は支持形材１０，１０′と、その間にある支持壁１１を備えている。支持形材１０，１０′は図示した実施の形態では、客室床１２と客室天井１３の間に配置され、飛行機の客室２内の構造体に固定された部品に支持されている。支持形材１０，１０′は衝突の際に吸収すべきエネルギーを受け止める。支持形材１０，１０′の間の間隔は好ましくは、支持壁１１が乗客のために充分な幅を提供するように選定されている。支持形材１０，１０′およびまたは支持壁１１には安全手段１４が設けられている。この安全手段１４は好ましくは三点式安全ベルト１５として形成されている。これは従来の座席と比べて、乗客のために高い安全性を提供する。技術水準から多くの用途が知られているそれ自体公知の安全ベルトまたは安全装置を使用することができる。
【００２１】
図４のＣでは、立ち席６が上側から示してある。支持壁１１は乗客を収容するために曲面板の形をし、それによって隣接する立ち席に対して、プライバシー領域を遮蔽および保護することができる。例えば支持形材１０，１０′内のレールを用いて、支持壁１１または支持壁１１上の安全手段１４を高さ調節可能に形成することができる。このレールに沿って支持壁１１が摺動可能であり、かつロック可能である。それによって、乗客のいろいろな大きさに合わせることができる。
【００２２】
他の有利な実施の形態が図４のＢに示してある。リラックスして立つために、乗客の直立保持と、足の負担軽減を可能にする手段が設けられている。例えば補助席１６が設けられている。この補助席は乗客を着席させることはできないが、支えることができ、それによって乗客の重量の負担を軽減することができる。補助席１６も乗客の大きさに合わせて高さ調節可能に形成することができる。
【図面の簡単な説明】
【図１】飛行機客室の配置構造の平面図である。
【図２】立ち席を備えた飛行機客室の斜視図である。
【図３】飛行方向に対する立ち席の位置決めを示す図である。
【図４】Ａ，Ｂ，Ｃはそれぞれ乗客輸送装置の支持構造体の実施の形態を示す図である。
【符号の説明】
１                  客室の配置構造
２                  客室
３                  乗客輸送装置
４                  座席配置のための範囲
５                  立ち席配置のための範囲
６                  立ち席
６Ａ，６Ｂ，６Ｃ    立ち席列
７                  保持装置
８                  座席
９                  荷物ロッカー
１０，１０′        支持形材
１１                支持壁
１２                客室床
１３                客室天井
１４                安全手段
１５                三点式安全ベルト
１６                補助席
【図１】
0004596661.tif 000002
【図２】
0004596661.tif 000003
【図３】
0004596661.tif 000004
【図４】
0004596661.tif 000005